(57)【要約】【課題】  ホルダーからトイレットペーパーを片手だけで引き出して簡単に体裁の良い形状にカットすることができるペーパー切口整形カッターを提供する。【解決手段】  左右のホルダー２にトイレットペーパーのロール１aを回転可能に挟持するとともに該ホルダー２間の上部に上面板３を設けたペーパー繰出し器において、前記上面板の先端部に、前後に擺動可能に装着し且つ先端をペーパーが所望の形状に切断可能に形成したカット板と、該カット板の前側に一側部から他側部へ板面に沿って突設したペーパーの折返し部とを形成する。  その際、前記カット板と折返し部との関係が、ペーパーを前記折返し部に掛けて引いた際に、カット板先端部を基点にロールの終端部方向に生じるベクトルと折返し部方向に生じるベクトルとの合成ベクトルの向きがカット板の先端部から擺動部への方向とほぼ一致するようにカット板と折返し部とを配設する。【選択図】      図４
0003104305.tif 000002
【実用新案登録請求の範囲】
【請求項１】
左右両側に突設したホルダーにトイレットペーパーのロールを回転可能に挟持するとともに該ホルダー間の上部に前記ロールを覆う上面板を設けたペーパー繰出し器において、
前記上面板の先端部に、前後に擺動可能に装着し且つ先端をペーパーが所望の形状に切断可能に形成したカット板と、該カット板の前側に一側部から他側部へ板面に沿って突設したペーパーの折返し部とを形成すると共に、
ペーパーを前記折返し部に掛けて引いた際に、カット板先端部を基点にロールの終端部方向に生じるベクトルと折返し部方向に生じるベクトルとの合成ベクトルの向きがカット板の先端部から擺動部への方向とほぼ一致するように前記カット板と折返し部とを配設したことを特徴とするペーパー切口整形カッター。
【請求項２】
上面板を分離可能に形成するとともに、その分離部分を着脱手段を介して固定できるようにして成る請求項１に記載のペーパー切口整形カッター。
【請求項３】
着脱手段が、嵌合結合による着脱部を形成して成る請求項２に記載のペーパー切口整形カッター。
【請求項４】
カット板の中間部位を、先端刃をロール方向に屈曲させて形成して成る請求項１乃至３のうちいずれか一項に記載のペーパー切口整形カッター。
【請求項５】
カット板の前面の一側部に折返し部を突設するための取着部を設け、その取着部に該折返し部を上方に附勢させる附勢手段を介して該折返し部が上方に開くように枢支するとともに該折返し部が水平方向から斜め上方の範囲に拘束されて可動できるように上限と下限のストッパーを設けて成る請求項４に記載のペーパー切口整形カッター。
【請求項６】
折返し部のペーパーの接触面がペーパーを引き出すときに摩擦抵抗が少なくなるように、折返し部に円滑手段を設けて成る請求項１乃至５のうちいずれか一項に記載のペーパー切口整形カッター。
【請求項７】
円滑手段が、折返し部の取着部に突設した芯軸に管状ローラーをフリーに装着して成る請求項６に記載のペーパー切口整形カッター。
【請求項８】
折返し部の取着部に、折返し部を開閉可能とする開閉手段を設けて成る請求項１乃至７のうちいずれか一項に記載のペーパー切口整形カッター。
【請求項９】
先端刃の形状が、中央を突出したヘ字形の山切り形状である請求項１乃至８のうちいずれか一項に記載のペーパー切口整形カッター。
【請求項１０】
カット板の材質が摩擦静電気を得やすい性能を有する材質であり、得られた摩擦静電気が漏電しないようにホルダー又は上面板に静電気を伝達しない絶縁手段を設けて成る請求項１乃至９のうちいずれか一項に記載のペーパー切口整形カッター。
【考案の詳細な説明】
【技術分野】
【０００１】
本考案は、トイレットペーパーホルダーに装填されたトイレットペーパーのロールから引き出されたペーパーを、自動的に見栄えの良い形状にカットできるようにするためのペーパー切口の整形カッターに関する。
【背景技術】
【０００２】
トイレットペーパーの使用後に次の使用者が気持ち良く使用できるように、上面被せ板の下にロールから覗いて見えるペーパーの先を三角形に折って体裁を整えることが行われている。しかし使用後毎回その作業をすることは管理者にとって大変困難なことであった。
そこで、トイレットペーパーのホルダーから引き出されたペーパーを三角形状などの任意の形にカットするための装置（特許文献１参照）が提案されている。
その装置では、各種形状のカッター部の形状にペーパーがカットできるようになってはいるが、カットする時に片手で押え具を抑え付けつつ他方の手でペーパーを引かなければならず、単にペーパーを引いただけではカッター部が逃げてしまって片手で切ることはできなかった。
一般に使用者はペーパーをわざわざ両手を使って切ろうとまではしないことが多く、そのためそのような装置では、せっかく備わった上記形状カット機能を充分に役立てることができなかった。
【０００３】
また、切断刃を有するスライド板を取手の操作で突出させてペーパーを切る装置（特許文献２参照）も提案されているが、この装置の場合も、片手でペーパーの先端を引き出したまま他方の手で取手を引いてペーパーを突き切るものなので片手でカットすることはできなかった。
そして、通常トイレットペーパーホルダーは、トイレの横壁面に取り付けられていることが多く、ペーパーの切口はたとえ見栄えは悪くても引き千切れば用は済んでしまうことと両手を使って切きる方式では体を捩ってまでペーパーを切るのは面倒であるために、上記のような従来の装置ではせっかくの形状カット機能は使われ難いものとなっていた。
なお、多く使用されるためには既存のホルダーに対しても簡単に取り付けられることが好ましいが、これまでのカット装置はホルダーと一体構造のものが多く、それらは既存のホルダーには取り付けられない難点があった。
【特許文献１】特開平１０−２９０７６６号公報
【特許文献２】特開平８−８４６８６号公報
【考案の開示】
【考案が解決しようとする課題】
【０００４】
本考案は、そのような背景技術の諸問題を考察してなされたもので、ホルダーから引き出されたペーパーを容易に片手だけで引き出して体裁の良い形状にカットすることができ、また既存のホルダーに対しても簡単に取り付けることができるトイレットペーパーホルダー用のペーパーのカット装置を提供するものである。
【課題を解決するための手段】
【０００５】
上記課題を解決するために、本考案のペーパー切口整形カッターは、左右両側に突設したホルダーにトイレットペーパーのロールを回転可能に挟持するとともに該ホルダー間の上部に前記ロールを覆う上面板を設けたペーパー繰出し器におけるものである。
そして、前記上面板の先端部に、前後に擺動可能に装着し且つ先端をペーパーが所望の形状に切断可能に形成したカット板と、該カット板の前側に一側部から他側部へ板面に沿って突設したペーパーの折返し部とを形成する。
そして、ペーパーを前記折返し部に掛けて引いた際に、カット板先端部を基点にロールの終端部方向に生じるベクトルと折返し部方向に生じるベクトルとの合成ベクトルの向きがカット板の先端部から擺動部への方向とほぼ一致するように前記カット板と折返し部とを配設して、ペーパーを所望の形状に確実に突き切れるように構成したものである。
【０００６】
請求項２に記載の考案は、上記構成において、前記上面板を分離可能に形成するとともに、その分離部分を着脱手段を介して固定できるように構成したものである。
【０００７】
請求項３に記載の考案は、上記構成において、前記着脱手段が、嵌合結合による着脱部を形成したものである。
【０００８】
請求項４に記載の考案は、上記構成において、前記カット板の中間部位を、先端刃をロール方向に屈曲させて形成したものである。
【０００９】
請求項５に記載の考案は、上記構成において、前記カット板の前面の一側部に折返し部を突設するための取着部を設け、その取着部に該折返し部を上方に附勢させる附勢手段を介して該ペーパー折返し部が上方に開くように枢支するとともに該折返し部が水平方向から斜め上方の範囲に拘束されて可動できるように上限と下限のストッパーを設けて構成したものである。
【００１０】
請求項６に記載の考案は、上記構成において、前記折返し部のペーパーの接触面がペーパーを引き出すときに摩擦抵抗が少なくなるように、該折返し部に円滑手段を設けて構成したものである。
【００１１】
請求項７に記載の考案は、上記構成において、前記円滑手段が、折返し部の取着部に突設した芯軸に管状ローラーをフリーに装着したものである。
【００１２】
請求項８に記載の考案は、上記構成において、前記折返し部の取着部に、折返し部を開閉可能とする開閉手段を設けたものである。
【００１３】
請求項９に記載の考案は、上記構成において、前記先端刃の形状を、中央を突出したヘ字形の山切り形状にしたものである。
【００１４】
請求項１０に記載の考案は、上記構成において、前記カット板の材質が摩擦静電気を得やすい性能を有する材質であり、得られた摩擦静電気が漏電しないようにホルダー又は上面板に静電気を伝達しない絶縁手段を設けて構成したものである。
【考案の効果】
【００１５】
本考案は上記構成であり、トイレットペーパーのホルダーに装填されたペーパーのロールから引き出されたペーパーが、前記ペーパーの折返し部に掛けられて引かれると、そのペーパーの途中にカット板の先端刃が突き刺さってその刃の形状にペーパーが整えられて切り取られる。
このカットを行う使用者の動作は、
（１）ホルダー２内のロール１ａからペーパー１を引き出す（図２参照）。
（２）引き出されたペーパー１をペーパーの折返し部７に掛ける（図３参照）。
（３）折返し部７に掛けられたペーパー１を引く（図４参照）。
以上（１）から（３）の手順により、一度ペーパーをつかんだまま離さずにそのペーパーを切るまで片手のみで行う。
このように、本考案では、両手を使わずに、すべて片手だけの一連の簡単な動作によりペーパーが自動的に綺麗にカットされるので、使用者は使用後さらにペーパーの整形作業をするなど後の使用者への気使いは不必要となり、またその次の使用者は毎回気持ち良く使用できるようになった。
【００１６】
さらに、手順を図で詳しく説明すると、上記手順（１）のペーパーの引き出しは、図２に示すように、ペーパーを水平方向に引き出そうとすると擺動手段６によりペーパー１に押されてカット板４が持ち上げられる。その結果、ペーパー１の表面が先端刃５に対して抵抗なく先端刃５の裏側を撫ぜるように滑ってペーパー１が引き出される。即ち、ペーパー１は先端刃５に引っ掛かることなく、したがって千切れてしまうことなく引き出すことができる。
【００１７】
そして、上記手順（２）のペーパーの折返し部７にペーパー１を掛ける時には、図３に示すように、引き出されたペーパー１の途中を折返し部７の先端部７ｂとカット板４との間に通して折返し部７に掛けられるが、この折返し部７にペーパーを掛ける際に、上記請求項５及び８に記載の発明では、折返し部７の先端部７ｂとカット板４面との間の間隔を大きく広げられるのでペーパーが掛け易くなる。
【００１８】
さらに、上記手順（３）のカットの際には、切り離されたペーパー１は、図５に示すように、切り離された両端が同じ形状になり、ホルダー２側に残されるペーパー１は、図４に示すように、先端刃５の形状にカットされて行き、その切口を先端刃５の形状に毎回自動的に整えることが可能となる。
なお、カット後にホルダー側に残されるペーパーの切断形状は、各種前記先端刃５の形状によって決まり、波型など所望の形状とすることができるが、図１の示すように、中央を突出させてヘ字形に形成した場合には、その刃先形状に沿って体裁の良い山形に綺麗に整えられる。
【００１９】
このカットの仕組みを、図１７でさらに詳しく説明する。
前記カット板４と前記折返し部７との関係は、前記ロール１ａから繰り出したペーパー１を返し部７に掛けて引いた時、カット板４先端部ｃを基点にロール１ａの終端部ａ方向に生じるベクトル（Ｘ）と折返し部ｂ方向に生じるベクトル（Ｙ）との合成ベクトル（Ｘ＋Ｙ＝Ｚ）の向きがカット板４の先端部ｃから擺動手段６の擺動部への方向（図中の符号ｃから符合６へ向う方向）とほぼ一致するように前記カット板４と前記折返し部７とが配設されている。
したがって、ロール１ａから引き出したペーパー１を折る返し部７に掛けて、そのまま引く（図１７中の黒塗り矢印で示す）と、その図１７に示すように、先端刃５の先端５ａにペーパー１が当たってペーパー１が緊張状態に折り曲げられる。
すると、力のバランスでカット板４が擺動手段６による前後のフリー擺動を停止し、瞬間的にロック状態となる。
さらに、続けて前記ロール１ａから繰り出したペーパー１を引くと、カット板先端部ｃを基点とした合成ベクトル（Ｚ）の向きがカット板の装着方向とほぼ一致ように形成されているので、合成ベクトル（Ｚ）の作用に対してカット板４側に反作用の力が惹起され、前記先端刃５がペーパー１に強く突き刺さるように当たる。その結果、先端刃５の形状に沿ってその刃の最先端からペーパー１に突き刺さって行く（図１７中の１点鎖線で示す）ように切られて行く（図４でその状態を示す）。
【００２０】
この際に、ペーパーの折返し部７（ｂ）とロールからペーパーが引き出されるロール終端部（ａ）ではペーパーの繊維の引っ張り強度を超えない限りペーパー１が引き千切れることはなく、先端刃５で確実にペーパーが突き切られることとなる。
【００２１】
次に、請求項２及び３に記載の考案である、ホルダー上部の上面板３に、嵌合による着脱部などの着脱手段を設けた形態では、ホルダー上部の上面板３に、容易にカット板４の着脱交換できるようになり、既存の上面板に対しても容易に着脱が可能となる。
さらに、請求項４に記載の考案であるカット板４の中間部位を屈曲させた形態では、ロール側のペーパー１の表面に対して先端刃５の向かい角が大きくなりその先端部が突き刺さり易くなりそこから確実に突き切ることができる。
【００２２】
また、前記折返し部７に摩擦抵抗があると、薄くて弱いペーパーの場合は一瞬急に引くと折返し部７から千切れてしまう可能性があるが、請求項６及び７に記載の発明のように折返し部７に円滑手段１１を設けて摩擦抵抗が少なくなるようにすれば、薄いペーパーでも前記折返し部７で切れてしまうことなく確実に先端刃５でカットすることができるようになる。
【考案を実施するための最良の形態】
【００２３】
本考案を実施するための形態について以下詳しく説明する。
本考案のペーパー切口整形カッターは、図１に示すように、左右両側に突設したトイレットペーパーのホルダー２の上方に設けた上面板３の先端部にヒンジ１５などの擺動手段６を介してカット板４を装着した形態（非分離型）と、図６に示すように、前記上面板３が、ホルダー２上部に固定又は上下擺動可能に装着された上面板３に、着脱手段１０を介して固定できるようにした形態（分離型）とがある。
【００２４】
まず、前者の非分離型を先に説明する。
この非分離型の形態では、前記上面板３がホルダー２に固定されたもの（固定式）と、図１に示すように、先端部３ｂを下向きに湾曲させた上面板３がその取付け基部に設けた枢支軸1６で回転引出式のトイレットペーパーのホルダー２に設けた軸受部に軸承され、その上面板３がホルダー２に装填されたトイレットペーパー１のロール１ａに乗ってフリーに上下に擺動するもの（擺動式）とがある。
そして、上記擺動式または固定式の上面板３の先端部３ｂに、ヒンジ１５などの擺動手段６を介して見栄えの良い所望の任意形状の先端刃５を有するカット板４を自由に前後擺動可能に装着する。
そのカット板４には、同図１に示すように、前側板面４ｄの基部寄り一側部４ｂに取着部７ａが固定され、先端部７ｂがその前側板面４ｄの基部寄り他側部４ｃ近くまでその前側板面４ｄに沿って水平にペーパーの折返し部７を突設する。
そして、本考案を使用するに当たって、ホルダー２に装填されたロール１ａから引き出されたペーパー１を前記折返し部７に掛けて引くと、前記先端刃５で折り返されたペーパー部分がその先端刃５で突き切られて自動的に該先端刃５の形状に沿って整えられるようにする。
【００２５】
次に、後者の分離型の形態を説明する。
この形態は、図６及び図１０に示すように、ホルダー２の上部に固定又は上下擺動可能に装着された分離する上面板３の分離部９に着脱手段１０を介して両者が固定できるようにしたものである。
そして、この分離型の形態でも上記非分離型形態と同様に、図７に示すように、引き出したペーパー１をペーパーの折返し部７に掛けて用いる。
前記着脱手段１０は各種可能であるが簡潔な構造のものでは、図７に示すように、上面板３の端部を嵌め込んで挟み着けて固定する嵌合部１４を基台３に設けて着脱できるようにすることが可能である。
この形態では、既存のトイレットペーパーホルダーの上面板３に対して、カット板４を（図８及び図９に示す）上面板３の着脱手段１０によって簡単に後付け固定することが可能となる。
その外にも前記着脱手段１０は、前記分離部９の板面を重ね合わせにして、両者に貫通させたピン留めやボルト留めなどによって固定することもできる。
【００２６】
そして、分離型と非分離型のいずれの形態である場合でも、図１５に示すように、前記カット板４の中間部位を、先端刃が装填されたロールに向かうように屈曲させた屈曲部８を設ける形態が可能である。
この屈曲部８を設けることにより、屈曲部８から先方にある先端刃５が、ペーパーの引き出し方向に対してより大きな角度をもってペーパーに突き刺さり易くなって、前記先端刃５の刃型形状に沿って綺麗にカットすることが可能となる。
【００２７】
また、図１６に示すように、前記折返し部７を取り付けるカット板４の取着部７ａに枢支部２０を設けて、折返し部７を上方に附勢させるバネ２１などの附勢手段２１を介してその折返し部７が上方に開くように枢支するとともにその折返し部７が水平方向から斜め上方の範囲拘束されて可動できるように、ストッパー支持突起２４を設け、その上に上限のストッパー２３と下限ストッパー２２を設けた形態も可能である。
このようにすると、ペーパーの折返し部７にペーパー１を掛ける時には、図１６に示すように、折返し部の取着部７ａのバネ２１で折返し部７の先端部７ｂとカット板４面との間の間隔が大きく広げられた状態となっているので、折返し部７にペーパーが掛け易くなっており、掛けたペーパー１を引くと折返し部７がバネ２１に抗して下げられて、折返し部７が水平状態（図中の１点鎖線）となって。ペーパーが取着部７ａに偏って撚れることなく広がって切口がきれいに切れる。
【００２８】
なお、本考案では、引き出されたペーパー１が折返しされるのは、先端刃５部分とペーパーの折返し部７部分の２箇所であるが、折返し部７部分での摩擦抵抗が大きいと薄くて弱いペーパーを使用した場合に先端刃５でのカットではなく折返し部７で引き千切れてしまうおそれがある。
また、薄くて弱いペーパー１の場合は一瞬急に引くと小さい摩擦抵抗であっても折返し部７から千切れてしまう可能性があるが、請求項６及び７に記載の発明のように折返し部７に円滑手段１１を設けて摩擦抵抗が極力小さくなるようにすれば、薄いペーパーでも前記折返し部７で切れてしまうことなく確実に先端刃５でカットすることができるようになる。
【００２９】
その円滑手段１１は、図９に示すように、ペーパー１との接触面の抵抗を少なくするために滑らかな円面に折返し部７を形成することが簡単であるが、さらに、前記円滑手段１１を、折返し部７の取着部７ａに突設した芯軸１２に管状ローラー１３をフリーに装着することもできる。
さらに積極的に円滑になるようにするため、図９、図１０及び図１１に示すように、軸部１２に管状ローラー１３をフリーに装着した形態が可能である。
【００３０】
また、折返し部７にペーパー１を掛ける時には、図３に示すように、引き出されたペーパー１の途中を折返し部７の先端部７ｂとカット板４との間に通して折返し部７に掛けられるが、この折返し部７にペーパーを掛ける際にペーパーが掛け易くなるように、折返し部７の先端部７ｂとカット板４面との間の間隔を大きく広げられるようにすることや、前記折返し部の取着部に、折返し部を開閉可能とする開閉手段を設けたることが可能である。
例えば、図１２、図１３及び図１４に示すように、ペーパーの折返し部７の基部７ａに、開閉枢支軸１８を設けて折返し部７を枢支して折返し部７が角度α開閉できるようにした開閉手段１７を設ければ、折り返しペーパーを掛け易くすることができる。
この開閉手段１７の開閉枢支軸１８には、図１４に示すように、開いた角度の維持ができるように、段差面に対して出没するバネによる押さえピンを形成した開閉用多段トッパー１９を設けることもできる。
【００３１】
また、ペーパー１のカットされた形状は、先端刃５の形状で決まる。
そのため、先端刃５はＷ字形状、鋸刃状など各種形状が可能であるが、体裁の良い形状にカットするためには、図１に示すように、前記下刃の中央を突出させへ字形に形成すると、図５に示すように、ペーパー１を三角形状にカットできて体裁が良い。
【００３２】
さらに、前記カット板４に、エボナイトなど摩擦静電気を得やすい性能を有する合成樹脂を用い、得られた摩擦静電気が漏電しないようにカット板４からホルダー又は上面板を介して静電気が伝達しないように絶縁手段を設けることもできる。
こうすると、ペーパー１の引き出しで起きた直後は摩擦静電気の力で前記カット板４に、カット後のペーパー１先端部が付着し、しばらくして摩擦静電気が拡散して弱まり、ペーパー１先端部がカット板４から離れる。
このとき、ペーパーの巻きぐせが取れて完全には戻らず、ペーパー１先端部を掴むための指を入れる隙間が保持される。
通常、ペーパーのロール面にペーパー１の先端部が付着しているとペーパーが摘みにくいが、カットした後、ペーパーの巻きぐせでペーパー１先端部がペーパーのロール面に付着する。こうなると、ペーパーが摘めなくなる。
そこで爪でペーパー１の先端部を捲り上げるなどして掴めるようにして引き出しているが、それでもペーパー１先端部が容易に掴めず不快となることがある。
本考案ではこのような問題が静電気の利用で解決できるようになった。
【産業上の利用可能性】
【００３３】
本考案は、トイレットペーパーのホルダー用のペーパー切口整形カッターであるが、同様の構造を待つキッチンペーパーホルダーやテープホルダー用のカッターとして利用できる可能性がある。
【図面の簡単な説明】
【００３４】
【図１】本考案のペーパーをカット後の状態を示す斜視図である。
【図２】ペーパーを引き出している状態を示す斜視図である。
【図３】ペーパーを折返し部に掛けた状態を示す斜視図である。
【図４】ペーパーを途中までカットしている状態を示す斜視図である。
【図５】カットしたペーパーの形状を示す斜視図である。
【図６】上面板に着脱手段を有する形態を示す斜視図である。
【図７】図６の形態のペーパーをカットする途中の状態を示す斜視図である。
【図８】カット板を分離した状態を示す斜視図である。
【図９】折返し部に管状ローラーを使用した形態の要部の斜視図である。
【図１０】別態様の折返し部に管状ローラーを使用した形態の要部の斜視図である。
【図１１】図１１の管状ローラーを使用した形態の要部の側面図である。
【図１２】図１１の管状ローラーを使用した形態の分離したカット板の要部の斜視図である。
【図１３】折返し部に管状ローラーを使用し開閉可能とした形態におけるカット板を分離して部品を分解した状態を示す斜視図である。
【図１４】図１３の折返し部を開いた状態を示す、先端刃側から見た斜視図である。
【図１５】カット板の屈曲状態を示す縦断側面図である。
【図１６】ペーパーをカットする仕組みを示す模式的側面図である。
【図１７】ペーパー折返し部が斜め上方に開かれる形態を示す斜視図である。
【符号の説明】
【００３５】
１    トイレットペーパー
１ａ  トイレットペーパーのロール
１ｂ  トイレットペーパーの先端部
２    ホルダー
３    上面板
３ａ  上面板
３ｂ  上面板の先端部
４    カット板
４ａ  カット板の下端部
４ｂ  カット板の基部寄り一側部
４ｃ  カット板の基部寄り他側部
４ｄ  カット板の表側板面
４ｅ  カット板の基部
５    先端刃
５ａ  先端刃の先端部
６    擺動手段
７    折返し部
７ａ  折返し部の取着部
７ｂ  折返し部の先端部
８    カット板の屈曲部
９    分離部
１０    着脱手段
１１    円滑手段
１２    軸部
１３    管状ローラー
１４    嵌合部
１５    ヒンジ
１６    枢支軸
１７    開閉手段
１８    開閉枢支軸
１９    開閉用多段ストッパー
２０    枢支部
２１    バネ
２２    下限ストッパー
２３    上限ストッパー
２４    ストッパー支持突起
【図１】
0003104305.tif 000003
【図２】
0003104305.tif 000004
【図３】
0003104305.tif 000005
【図４】
0003104305.tif 000006
【図５】
0003104305.tif 000007
【図６】
0003104305.tif 000008
【図７】
0003104305.tif 000009
【図８】
0003104305.tif 000010
【図９】
0003104305.tif 000011
【図１０】
0003104305.tif 000012
【図１１】
0003104305.tif 000013
【図１２】
0003104305.tif 000014
【図１３】
0003104305.tif 000015
【図１４】
0003104305.tif 000016
【図１５】
0003104305.tif 000017
【図１６】
0003104305.tif 000018
【図１７】
0003104305.tif 000019